(57)【要約】      （修正有）【課題】開封されたか否かが容易に判別できると共に、取扱う上での作業性に優れ、開封が容易な熱収縮性樹脂フィルムで被覆された薬液が充填された注射器及びその製造方法を提供する。【解決手段】シリンジ１先端部近くにルアーロックアダプターが装着され、且つ、ティップキャップが装着された薬液が充填された注射器であって、ルアーロックアダプターの側面からティップキャップの天面の一部までを熱収縮性樹脂フィルム１０で被覆することにより封印し、該熱収縮性樹脂フィルムに円周に沿ってミシン目１１を設けることを特徴とする薬液が充填された注射器であり、また、その製造に当たっては、熱収縮性樹脂フィルムで被覆する際、注射器をできる限り低速回転に保ち、且つ加熱する時間を短くする。【選択図】図４
2008194486.tif 000002
【特許請求の範囲】
【請求項１】
シリンジ先端部近くにルアーロックアダプターが装着されており、且つ、ティップキャップがシリンジ先端部を覆うと共に該ルアーロックアダプターの内側に挿入されるべくシリンジ先端部に嵌合されている薬液既充填小型注射器であり、且つ、該ルアーロックアダプターの側面から該ティップキャップの天面の一部までが熱収縮性樹脂フィルムで被覆された薬液が充填された小型注射器であって、該熱収縮性樹脂フィルムに円周に沿ってミシン目がルアーロックアダプターのティップキャップ側端部からシリンジ側に向かって０〜３mm以内に設けられていること、該ミシン目のピッチのカットとツナギの比が３〜１：１であることを特徴とする薬液が充填された小型注射器。
【請求項２】
ミシン目がルアーロックアダプターのティップキャップ側端部から、シリンジ側に向かって２mm以内に設けられていることを特徴とする請求項１記載の薬液が充填された小型注射器。
【請求項３】
ミシン目のピッチのカットとツナギの比が２：１であることを特徴とする請求項１記載の薬液が充填された小型注射器。
【請求項４】
熱収縮性樹脂フィルムが、裏面に接着材が塗布されており、且つ、ミシン目に当たる部分の裏面に接着材の接着力を低下させる物質が線状に塗布されていることを特徴とする請求項１記載の薬液が充填された小型注射器。
【請求項５】
ミシン目に当たる部分の裏面に塗布される接着材の接着力を低下させる物質がインク及びニスから選ばれることを特徴とする請求項４記載の薬液が充填された小型注射器。
【請求項６】
熱収縮性樹脂フィルムのルアーロックアダプターを覆う部分が透明であり、ティップキャップを覆う部分が着色されていることを特徴とする請求項１記載の薬液が充填された小型注射器。
【請求項７】
薬液が充填された注射器中の薬剤の含量が異なる毎に、それに対応して熱収縮性樹脂フィルムのティップキャップを覆う部分の色が異なることを特徴とする請求項６記載の薬液が充填された小型注射器。
【請求項８】
熱収縮性樹脂フィルムのティップキャップを覆う部分に施された色と同じ色をシリンジに貼るラベルの一部又は全部に施すことを特徴とする請求項７記載の薬液が充填された小型注射器。
【請求項９】
熱収縮性樹脂フィルムのティップキャップを覆う部分に開封方法を表示した請求項1記載の薬液が充填された小型注射器。
【請求項１０】
熱収縮性樹脂フィルムで被覆された薬液が充填された注射器の製造方法であって注射器に回転を与えながら、該熱収縮性樹脂フィルムを収縮させたい部位の両側から熱源線又は熱風をあてること、熱線又は熱風をあてるときの注射器の回転数が約0〜3回転であること、回転速度が、0〜120回転／分相当であることを特徴とする製造方法。
【請求項１１】
熱線又は熱風をあてるときの注射器の回転数が約0.25〜1回転である請求項１０記載の製造方法。
【請求項１２】
熱線又は熱風をあてる時の注射器の回転速度が、8〜34回転／分相当である請求項１０記載の製造方法。
【請求項１３】
熱線又は熱風をあてる時の雰囲気温度が１９５〜２１５℃である請求項１０記載の製造方法。
【請求項１４】
注射器中の薬液が生理活性蛋白質を含むものである、請求項１０乃至１３記載の製造方法。
【発明の詳細な説明】
【技術分野】
【０００１】
本発明は、薬液が充填された注射器に関わる。更に詳しくは、熱収縮性樹脂フィルムで被覆された薬液が充填された注射器及びその製造法に関する。
【背景技術】
【０００２】
予め所定量の薬液を充填した注射器において、注射器の先端部にゴム栓をし、熱収縮性樹脂フィルムを巻きつけて封印することは知られている(実用新案登録第3024311号)。これは、裏面に接着剤を塗布した熱収縮性樹脂フィルムを、注射器のシリンジ先端部に嵌合するゴム栓の側面とシリンジの外側面とに亙り、重複するように巻きつけて、熱収縮により封印するものである。なお、熱収縮により封印する装置としては、特開平８−１４３０１６記載の装置が知られており、これは熱風吹き付け機構が加熱対象物の一方向側にのみ設置されている。
【０００３】
また、ミシン目が施され、表面に内容物を表示する印刷がされ、裏面に接着剤が塗布された熱収縮性樹脂フィルム（シュリンクラベル）も既に知られている(実開平2−136281号)。
【０００４】
しかし、シリンジに嵌合するゴム栓側面とシリンジの外側面とをフィルムで覆うだけでは、フィルムとゴム栓との接着性が弱かった場合、フィルムの外形に影響させずにゴム栓のみを抜くことができ、内容物の改ざんが行われたか否かを一見して判別することは難しい。また、逆に、接着が充分に行われた場合は、フィルムにミシン目が設けられていても、ゴム栓を抜いて開封するとき力を要し、作業性が悪いという問題が生ずる。
【発明の開示】
【発明が解決しようとする課題】
【０００５】
本発明は、開封されたか否かが容易に判別できると共に、取扱う上での作業性に優れ、開封が容易な熱収縮性樹脂フィルムで被覆された薬液が充填された注射器及びその製造方法を提供することを目的とする。
【課題を解決するための手段】
【０００６】
本発明は、シリンジ先端部近くにルアーロックアダプターが装着されており、且つ、ティップキャップがシリンジ先端部を覆うと共に、該ルアーロックアダプターの内側に挿入されるべくシリンジ先端部に嵌合されている薬液既充填小型注射器であり、且つ、該ルアーロックアダプターの側面からティップキャップの天面の一部までが熱収縮性樹脂フィルムで被覆された薬液が充填された小型注射器であって、該ルアーロックアダプターの側面から該ティップキャップの天面の一部までを熱収縮性樹脂フィルムで被覆することにより封印し、該熱収縮性樹脂フィルムに円周に沿ってミシン目を設けることを特徴とする薬液が充填された小型注射器であり、熱収縮性樹脂フィルムのミシン目が、ルアーロックアダプターのティップキャップ側端部の近傍部分、就中、ルアーロックアダプターのティップキャップ側端部から、シリンジ側に向かって０〜３mm以内、好ましくは、２mm以内に設けられていることを特徴とする薬液が充填された小型注射器である。ここで、熱収縮性樹脂フィルムに設けられるミシン目のピッチのカットとツナギの比は３〜１：１、好ましくは２：１である。
【０００７】
また、本発明の好ましい態様は、裏面に接着材が塗布されており、且つ、ミシン目に当たる部分の裏面に接着材の接着力を低下させる物質、例えば、インク又はニス等が線状に塗布されている熱収縮性樹脂フィルムで被覆し、封印する態様であるが、従来技術を採用して、ミシン目に当たる部分の裏面に接着材の接着力を低下させる物質を塗布する代わりに、接着剤を塗布しない帯を設けてもよい。
【０００８】
ここで、熱収縮性樹脂フィルムのルアーロックアダプターを覆う部分が透明であり、ティップキャップを覆う部分が着色されていること、例えば、薬液が充填された注射器中の薬剤の含量が異なる毎に、それに対応して熱収縮性樹脂フィルムのティップキャップを覆う部分の色として異なる色を用いること、更には、熱収縮性樹脂フィルムのティップキャップを覆う部分に施された色と同じ色をシリンジに貼るラベルの一部又は全部に施すことが好ましい。また、熱収縮性樹脂フィルムのティップキャップを覆う部分には、着色に加えて、開封方法を表示することができる。
【発明の効果】
【０００９】
本発明の薬液が充填された注射器においては、キャップが外されれば、必ず封印が破れるため、一見して改ざんの有無を判別することができる。また、封印処理時のフィルムの破損が防止されると共に、開封作業を容易に行うことができる。更に、内容物の確認が例えば、薬剤含量の確認が容易であり、使用時の誤認を防ぐことができる。
【００１０】
本発明において採用する封印の態様、即ち、ルアーロックアダプターの側面からティップキャップの天面の一部までを熱収縮性樹脂フィルムで覆って封印し、使用時にフィルムごとティップキャップを捻って開封する態様は、小型のシリンジ、例えば、容量が１ml程度のシリンジにおいて特に好ましい。１０ml或いはそれ以上の容量の大型シリンジにおいては、封印の一部に抓みしろを設けて、使用時にその抓みしろを引くことで封印を破ることができるが、小型シリンジでは、抓みしろが小さくなり、作業性が悪くなるからである。また、フィルムごとティップキャップを捻って開封することにより、フィルムが静電気により指先に付着する等の不便を避けることができ、更には、フィルムとティップキャップとを一度に廃棄処理することができ、別々に捨てる等の手間を省くことができる。
【００１１】
更に、本発明の製造方法により、注射器内の薬剤に対して、物理的ストレス、熱ストレス等の影響を与えることなく薬液既充填注射器が提供される。
【発明を実施するための最良の形態】
【００１２】
本発明において、薬液が充填された注射器とは、図１に示す如き、プランジャーロッド２とシリンジ１から構成される注射器であって、薬液３が予め充填されており、シリンジ先端部４近くにルアーロックアダプター７が装着されており、且つ、ティップキャップ５がシリンジ先端部４を覆うと共に、該ルアーロックアダプター７の内側に挿入されるべくシリンジ先端部に嵌合されている構造を有する注射器である。使用時には、ティップキャップ５を外して、別途用意されている注射針を取付ける。
【００１３】
かかる包装形態においては、ティップキャップ５がシリンジ先端部４及びルアーロックアダプター７から外されて内容物が改ざんされることを防止し、或いは、ティップキャップ５が外された場合はそのことが容易に判別できることが必要である。そのために、本発明は、ルアーロックアダプター７の側面からティップキャップ５の天面６の一部までを熱収縮性樹脂フィルム10で被覆することにより封印し、且つ、開封を容易にし、作業性を良くするために該熱収縮性樹脂フィルムに円周に沿ってミシン目11を設ける(図２、図３、図４参照)。
【００１４】
キャップの側面とシリンジの側面とを被覆していた従来の封印方法に比べ、ルアーロックアダプター７の側面からティップキャップ５の天面６の一部まで被覆することにより、キャップが外されれば、必ず封印が破れるため、一見して改ざんの有無を判別することができる。即ち、封印を破ることなくキャップを外すことが不可能になり、内容物の改ざんが確実に防止される。また、天面６の一部まで被覆することによりキャップの自然脱落を防止することができる。
【００１５】
本発明で用いられる熱収縮性樹脂フィルムは、通常、包装のために使用されるものであれば何れでも使用でき、例えば、ポリエチレン、ポリプロピレン、ポリエチレンテレフタレート、ポリ塩化ビニル等のフィルムを挙げることができる。
中でも、開封性、収縮性、環境適性等を考慮すると、ポリエチレンフィルムが尤も好ましい。
【００１６】
本発明において熱収縮性樹脂フィルムに、円周に沿って設けられるミシン目の位置は、ルアーロックアダプター７のティップキャップ側端部８の近傍部分、就中、ルアーロックアダプター７のティップキャップ側端部８から、シリンジ側端部９に向かって０〜３mm以内、好ましくは、２mm以内に設けられていることが好ましい。本発明者等の検討によれば、ミシン目の位置が上記範囲より上部、即ち、ティップキャップ側であるときは、加熱時の熱収縮によりフィルムがミシン目のところで破れる確率が高いこと、逆にミシン目の位置が上記範囲より下部、即ち、シリンジ側であるときは、フィルムで覆われたティップキャップを捩じったとき、フィルムがミシン目の位置で破れにくいことが見出され、好ましいミシン目の位置が上記の位置であることが明らかにされた。
【００１７】
本発明者等は、ミシン目の位置と共に、ミシン目のピッチについても検討を行い、カットとツナギの比が３〜１：１、好ましくは２：１であるとき、熱収縮時の破損がなく、且つ、開封時に確実にミシン目で破ることができることを見出した。
【００１８】
更に、熱収縮性樹脂フィルムの裏面全体に接着剤を塗布した後、ミシン目に当たる部分の裏面に接着剤の接着性を低下させる物質、例えば、インクやニスを線状に印刷して塗布すると、開封時にミシン目で破ることが確実に行われる。フィルムのミシン目の裏側に接着剤を塗布しない方法が提案されている（実開平3−4557号）が、塗布すべきでない部分に接着剤がはみ出ることが起こる。従って、塗布しない処理操作より、線状に塗布する処理操作の方がより確実性が高い。なお、熱収縮性樹脂フィルムの裏面全体に塗布する接着剤として、従来使用されている接着剤ならば何れでも使用でき、更には、感圧性粘着剤も用いることができる。
【００１９】
注射針が静脈を捕らえたことを確認するために、プランジャーロッド２を引いて血液の逆流をチェックすることが行われるが、熱収縮性樹脂フィルムのルアーロックアダプターを覆う部分13を透明にすることで、チェックを容易にする。また、フィルムのティップキャップを覆う部分1２が着色されていること、例えば、薬液が充填された注射器中の薬剤の含量が異なる毎に、それに対応して熱収縮性樹脂フィルムのティップキャップを覆う部分12の色を変えることで、使用時の誤認を防ぐことができる。
【００２０】
更に、熱収縮性樹脂フィルム10のティップキャップを覆う部分12に施された色と同じ色をシリンジ1に貼るラベルの一部又は全部に施すことで、ティップキャップ５を取除いた後においても、含量の違いを確認することができ、誤認を防ぐことができる。また、熱収縮性樹脂フィルム９のティップキャップを覆う部分12には、着色に加えて、開封方法、例えば、捩じる方向を示す矢印を表示することができる。
【００２１】
本発明の薬液既充填注射器中の薬剤が物理的ストレス、熱ストレス等のストレスに対して不安定な薬剤である場合、その製造過程において薬剤が変質を起こす恐れがある。例えば、薬剤が蛋白成分である場合、過度の振動や過熱は蛋白の変性、アグリゲーション等を起こす。かかる問題を回避するためには、本発明の薬液既充填注射器に熱収縮性樹脂フィルムを貼り付ける際に、できる限り注射器内の薬剤に対して、物理的ストレス、熱ストレス等の影響を与えない方法を採用することが好ましい。
【００２２】
本発明は、そのための製造方法をも提供するもので、注射器をできる限り低速回転に保ち、且つ加熱する時間を短くすることにより達成される。例えば、熱収縮性樹脂フィルムの収縮させたい部位（ルアーロックアダプターの側面からティップキャップの天面の一部まで）の両側から熱線又は熱風をあて、注射器を回転させながら熱源の間を通過させる(図５参照)。図5に示すように、シリンジ１は2本の搬送コンベア14、15に挟まれて長い矢印の方向に移動するが、搬送コンベア14、15の移動速度を違えることによりシリンジの回転運動が生ずる。なお、図において16、17は相対して設けられた熱線又は熱風を当てる装置であり、短い矢印は熱線の方向又は熱風の吹き出す方向を示している。熱源を通過する間の該注射器の回転数は３回転以下、好ましくは約0.25〜1回転である。また、熱線又は熱風をあてる時の注射器の回転速度は、０〜120回転／分相当、好ましくは、8〜34回転／分である。注射器が熱源に曝される間の移動距離は約200 mmあればよく、その雰囲気温度は、195〜215℃、好ましくは200〜210℃である。かかる低速度回転で、しかも少ない回転で必要な加熱処理が行うことにより、注射器の振動が最小限度に抑えられる。これが可能となるのは、熱線又は熱風をあてる装置を注射器のティップキャップ付近の両側に設けているためであり、かかる両側から加熱する方法は今まで知られていない。
【００２３】
上記の熱ストレス等のストレスに対して不安定な薬剤としては、蛋白質、合成化合物、天然物を問わないが、特に、生理活性蛋白質が挙げられる。該生理活性蛋白質としては、例えば、顆粒球コロニー刺激因子（Ｇ−ＣＳＦ）、顆粒球マクロファージコロニー刺激因子(ＧＭ−ＣＳＦ)、エリスロポエチン(ＥＰＯ)、トロンボポエチン等の造血因子、インターフェロン、IL-1やIL-6等のサイトカイン、モノクローナル抗体、組織プラスミノーゲン活性化因子(ＴＰＡ)、ウロキナーゼ、血清アルブミン、血液凝固第ＶＩＩＩ因子、レプチン、インシュリン、幹細胞成長因子(ＳＣＦ)などを含むが、これらに限定されない。タンパク質の中でも、ＥＰＯ、Ｇ−ＣＳＦ、トロンボポエチン等の造血因子及び抗体、特にモノクロナール抗体が好ましく、さらに好ましくはＥＰＯ、Ｇ−ＣＳＦ及びモノクローナル抗体である。
【図面の簡単な説明】
【００２４】
【図１】ルアーロックアダプターを備え、ティップキャップが嵌合したシリンジの断面図。
【図２】ルアーロックアダプターの側面からティップキャップの天面の一部までが熱収縮性樹脂フィルムで覆われた状態を示す断面図。
【図３】ティップキャップの天面の一部が熱収縮性樹脂フィルムで覆われた状態を示す。
【図４】ルアーロックアダプターの側面からティップキャップの天面の一部までが熱収縮性樹脂フィルムで覆われた状態を示す。
【図５】ルアーロックアダプターの側面からティップキャップの天面の一部までの熱収縮性樹脂フィルムを両側から加熱して収縮させる装置の一例を示す。
【符号の説明】
【００２５】
１：シリンジ
２：プランジャーロッド
３：薬液
４：シリンジ先端部
５：ティップキャップ
６：ティップキャップの天面
７：ルアーロックアダプター
８：ルアーロックアダプターのティップキャップ側端部
９：ルアーロックアダプターのシリンジ側端部
１０：熱収縮性樹脂フィルム
１１：ミシン目
１２：熱収縮性樹脂フィルムの着色部分
１３：熱収縮性樹脂フィルムの透明部分
１４：シリンジ搬送コンベア−１
１５：シリンジ搬送コンベア−２
１６：熱線又は熱風を当てる装置−１
１７：熱線又は熱風を当てる装置−２
【図１】
2008194486.tif 000003
【図２】
2008194486.tif 000004
【図３】
2008194486.tif 000005
【図４】
2008194486.tif 000006
【図５】
2008194486.tif 000007